(57)【特許請求の範囲】
【請求項１】
断熱壁を介して左右に隣接するとともに横幅の異なる第１、第２貯蔵室と、第１貯蔵室の下方に配置される圧縮機と、前記圧縮機に接続して第１貯蔵室または第２貯蔵室の下方に配置される放熱器と、前記断熱壁の延長上に配されて第１、第２貯蔵室の下方の前方を左右に仕切る仕切壁と、横幅の狭い第２貯蔵室の下方前方から取り入れた空気が第２貯蔵室の下方を流通した後に横幅の広い第１貯蔵室の下方を流通して第１貯蔵室の下方前方から排気される通気経路とを備え、第１貯蔵室の室内温度よりも第２貯蔵室の室内温度を高くしたことを特徴とする冷蔵庫。
【請求項２】
第１貯蔵室は冷凍室から成り、第２貯蔵室は野菜室から成ることを特徴とする請求項１に記載の冷蔵庫。
【請求項３】
前記放熱器は前記圧縮機に対して直列に接続される第１、第２放熱部を備え、第１放熱部を第１貯蔵室の下方に配置して第２放熱部を第２貯蔵室の下方に配置するとともに、前記圧縮機から流出する冷媒が第１放熱部、第２放熱部の順に流通することを特徴とする請求項１または請求項２に記載の冷蔵庫。
【請求項４】
前記放熱器は複数の放熱フィンを突設した金属板を有し、前記金属板の一部を切り起こして前記放熱フィンを形成したことを特徴とする請求項１〜請求項３のいずれかに記載の冷蔵庫。
【請求項５】
前記通気経路を流通する空気の流通方向に対して前記放熱フィンの幅方向を平行にしたことを特徴とする請求項４に記載の冷蔵庫。
【請求項６】
除霜時のドレン水を貯溜して蒸発させる蒸発皿を第１貯蔵室の下方に配置したことを特徴とする請求項１〜請求項５のいずれかに記載の冷蔵庫。
【発明の詳細な説明】
【０００１】
【発明の属する技術分野】
本発明は、強制対流式の廃熱機構を有する冷蔵庫に関する。
【０００２】
【従来の技術】
従来の冷蔵庫は、例えば、特開２０００−３３７７５２号公報に開示されている。図１１はこの冷蔵庫を示す外観斜視図である。冷蔵庫１００は上部より順に冷蔵室１０１、野菜室１０２、冷凍室１０３が配置されている。冷蔵室１０１の前面は回動式の開閉扉１０４により開閉することができ、野菜室１０２及び冷凍室１０３はスライド式の開閉扉１０５、１０６により収納容器とともに引き出せるようになっている。
【０００３】
冷凍室１０６の背後及び下方には、冷凍サイクルを構成する圧縮機１１０や放熱器１１２（何れも図１２参照）等を配置する機械室１０７が設けられている。圧縮機１１０の駆動により冷凍サイクルが運転され、冷蔵室１０１、野菜室１０２及び冷凍室１０３に冷気が送出されるようになっている。
【０００４】
図１２は機械室１０７の平面図を示しており、図中、上方が冷蔵庫１００の前面側になっている。機械室１０７は前方が開口しており、仕切板１１４で仕切られた一方に空気を吸引する吸気口１０７ａが形成され、他方に空気を排気する排気口１０７ｂが形成されている。また、機械室１０７の底面には空気の吸引量及び排気量を増加させるための多数の孔部１０７ｃが形成されている。
【０００５】
機械室１０７の一方の後部には圧縮機１１０が設置され、他方の後部には除霜時のドレン水を貯溜して蒸発させる蒸発皿１１３が配置されている。圧縮機１１０と蒸発皿１１３との間には機械室１０７内に空気を流通させる送風機１０９が配されている。
【０００６】
圧縮機１１０には放熱器１１１、１１２が直列に接続されている。放熱器１１１、１１２は冷凍サイクル内に設けられる凝縮器の一部を構成し、空気との熱交換により内部を流通する冷媒を凝縮する。放熱器１１１は蒸発皿１１３に貯溜されるドレン水に浸漬するように配置されている。
【０００７】
放熱器１１２は圧縮機１１０から見て放熱器１１１よりも冷凍サイクルの下流側に接続され、機械室１０７の前部に配置されている。放熱器１１２の他端は機械室１０７から外部に延出され、凝縮器の一部を成して冷蔵庫１００の背面に設けられるバックコンデンサ（不図示）に接続されている。そして、膨張器及び冷却器（何れも不図示）を介して圧縮機１１０に戻る循環経路が構成されている。
【０００８】
上記構成の冷蔵庫１００において、圧縮機１１０が駆動されると、冷凍サイクルが運転され、高温高圧の冷媒が放熱器１１１、１１２内を流通する。この時、放熱器１１１は蒸発皿１１３内に貯溜されたドレン水と熱交換される。これにより、放熱器１１１を冷却して冷媒を凝縮するとともにドレン水の蒸発を促進するようになっている。
【０００９】
また、送風機１０９の駆動によって矢印Ａのように吸気口１０７ａ及び孔部１０７ｃから取り入れられた空気は、放熱器１１２と熱交換してこれを冷却し、冷媒を凝縮する。更に、この空気は蒸発皿１１３上を通ってドレン水の蒸発を促進し、圧縮機１１０を冷却する。そして、熱交換した空気を矢印Ｂに示すように排気口１０７ｂから放出する。これにより、冷蔵庫１００の左右側面が囲われた状態でも廃熱経路を確保できるようになっている。
【００１０】
放熱器１１１、１１２で冷却された冷媒は、バックコンデンサで更に凝縮され、膨張器で減圧される。その後、低温低圧となって冷却器を通り、圧縮機１０７に戻る。低温の冷却器との熱交換により生成された冷気が各貯蔵室に送出されることによって各貯蔵室が冷却されるようになっている。
【００１１】
【発明が解決しようとする課題】
しかしながら、上記従来の冷蔵庫によると、吸気口１０７ａの開口面積が広く排気口１０７ｂの開口面積が狭くなっている。このため、放熱器１１１、１１２及び圧縮機１２０と熱交換した高温の排気が勢いよく使用者の足下に吹き出され、使用者の不快感が大きい問題があった。
【００１２】
また、廃熱経路が冷凍室１０３の下方に設けられ、機械室１０７内に取り入れられた空気が放熱器１１１、１１２及び圧縮機１２０と熱交換して排気される。このため、熱交換前の室温の空気が冷凍室１０３の左方と接触するとともに、熱交換後の高温になった空気が冷凍室１０３の右方と接触する。従って、冷凍室１０３に侵入する熱量が冷凍室１０３の左右で異なり、冷凍室１０３内の温度分布が不均一になる問題があった。
【００１３】
更に、冷凍室１０３の底壁は熱伝導により低温になっているため、放熱器１１１と熱交換する前の室温の空気が冷凍室１０３の底壁と接触すると吸気口１０７ａ付近で結露が発生し易い構造であった。
【００１４】
本発明は、使用者の不快感を軽減することのできる冷蔵庫を提供することを目的とする。また本発明は、貯蔵室の室内温度を均一にするとともに、結露を防止することのできる冷蔵庫を提供することを目的とする。
【００１５】
【課題を解決するための手段】
上記目的を達成するために本発明は、断熱壁を介して左右に隣接するとともに横幅の異なる第１、第２貯蔵室と、第１貯蔵室の下方に配置される圧縮機と、前記圧縮機に接続して第１貯蔵室または第２貯蔵室の下方に配置される放熱器と、前記断熱壁の延長上に配されて第１、第２貯蔵室の下方の前方を左右に仕切る仕切壁と、横幅の狭い第２貯蔵室の下方前方から取り入れた空気が第２貯蔵室の下方を流通した後に横幅の広い第１貯蔵室の下方を流通して第１貯蔵室の下方前方から排気される通気経路とを備え、第１貯蔵室の室内温度よりも第２貯蔵室の室内温度を高くしたことを特徴とことを特徴としている。
【００１６】
この構成によると、第２貯蔵室の下方前方から取り入れた吸気側の室温の空気は第２貯蔵室の底面と接触し、放熱器及び圧縮機と熱交換した後の排気側の高温の空気は第１貯蔵室の底面と接触する。そして、高温の空気が横幅の広い第１貯蔵室の下方から放出される。また、吸気側の空気は室内温度の高い第２貯蔵室と接触する。また、放熱器及び圧縮機と熱交換した後の高温の空気がドレン水と接触して蒸発が促進される。
【００１７】
また本発明は、上記構成の冷蔵庫において、前記放熱器は前記圧縮機に対して直列に接続される第１、第２放熱部を備え、第１放熱部を第１貯蔵室の下方に配置して第２放熱部を第２貯蔵室の下方に配置するとともに、前記圧縮機から流出する冷媒が第１放熱部、第２放熱部の順に流通することを特徴としている。
【００１８】
この構成によると、圧縮機から吐出される冷媒は第１、第２放熱部の順に流通した後、膨張器及び冷却器を通って圧縮機に戻り冷凍サイクルが構成される。高温の第１放熱部は通気経路を流通する排気側の空気との熱交換により冷却される。第１放熱部よりも低温の第２放熱部は、通気経路を流通する吸気側の空気との熱交換により冷却される。これにより、第２放熱部と第２放熱部に接触する空気との温度差を大きくして冷却効率を向上させることができる。
【００２０】
また本発明は、上記構成の冷蔵庫において、第１貯蔵室は冷凍室から成り、第２貯蔵室は野菜室から成ることを特徴としている。
【００２１】
また本発明は、上記各構成の冷蔵庫において、前記放熱器は複数の放熱フィンを突設した金属板を有し、前記金属板の一部を切り起こして前記放熱フィンを形成したことを特徴としている。
【００２２】
また本発明は、上記構成の冷蔵庫において、前記通気経路を流通する空気の流通方向に対して前記放熱フィンの幅方向を平行にしたことを特徴としている。
【００２３】
また本発明は、上記各構成の冷蔵庫において、除霜時のドレン水を貯溜して蒸発させる蒸発皿を第１貯蔵室の下方に配置したことを特徴としている。この構成によると、放熱器及び圧縮機と熱交換した後の高温の空気がドレン水と接触して蒸発が促進される。
【００２４】
【発明の実施の形態】
以下に本発明の実施形態を図面を参照して説明する。図１は一実施形態の冷蔵庫を示す正面図である。冷蔵庫１は外面を覆う外箱２ａの内側に内箱２ｂが配され、外箱２ａと内箱２ｂとの隙間には発泡ウレタン等の断熱材２ｃが充填されている。外箱２ａは側面部と上面部が一体となったキャビネット部２ｄと背面側のバックプレート２ｅ（図２参照）とから成っている。
【００２５】
冷蔵庫１の内部には上部に冷蔵室１１が配置され、断熱材から成る仕切壁１６により冷蔵室１１と隔離された下部に野菜室１２及び冷凍室１３が左右に並んで配置されている。野菜室１２と冷凍室１３とは断熱材から成る仕切壁１９によって隔離され、冷凍室１３の方が野菜室１２よりも横幅が広くなっている。冷凍室１３は更に断熱材から成る仕切枠１８により上部と下部に仕切られている。
【００２６】
冷蔵室１１内の下部には仕切板４６で仕切られた隔離室である氷温室１４が設けられている。氷温室１４は冷蔵室１１内の右側に設けられ、冷凍室１３の直上に配置されている。冷凍室１０内の上部には製氷を行う製氷部６７が設けられ、氷温室１４の側方に、製氷部６７へ供給する水を溜めるタンク６３が着脱自在に配されている。タンク６３の背後にはタンク６３内の水を製氷部６７へ給水するポンプ（不図示）が設置されている。
【００２７】
図２は冷蔵庫１の上面断面図を示している。冷蔵室１１の前面は把手３ａ、４ａを把持して回動する両開きの断熱扉３、４により開閉可能になっている。断熱扉３、４の端面にはパッキン３ｂ、４ｂが設けられ、隙間を塞いで冷蔵室１１を密閉できるようになっている。
【００２８】
図３は冷蔵庫１の右側面断面図を示している。冷蔵室１内には貯蔵物が載置される複数の載置棚４５が設けられる。断熱扉３には複数のドアポケット４４が設けられる。また、断熱扉４にも同様のドアポケット４４が設けられる（図７参照）。
【００２９】
冷凍室１３の上部は、スライド式の断熱扉５により前面が開閉可能になっており、断熱扉５に設けられた把手部（不図示）を把持して断熱扉５と一体の収納容器５５を引出せるようになっている。冷凍室１３の下部は回動式の断熱扉６により前面が開閉可能になっており、断熱扉６に設けられた把手部（不図示）を把持して断熱扉６を開き、収納容器５６ａ、５６ｂ、５６ｃを引出せるようになっている。
【００３０】
図４は冷凍室１３の下部の詳細を示す側面断面図である。冷凍室１３の下方及び後方にはバックプレート２ｅと一体化される断熱壁２０ａを介して機械室７９が設けられている。機械室７９の前面側は開口して排気口７９ｂが設けられている。機械室７９内の後部には圧縮機２０が配され、冷気通路２３内に設けられる冷却器２１に連結されて冷凍サイクルが構成されている。
【００３１】
冷凍サイクルの回路図を図５に示すと、圧縮機２０の一端には凝縮器７１が接続されており、他端には冷却器２１が接続されている。凝縮器７１と冷却器２１とはキャピラリーチューブ７２を介して接続されている。圧縮機２０が駆動されると、矢印Ａ１の方向に冷媒が流れる。圧縮された冷媒は凝縮器７１で熱を放出して凝縮する。凝縮して液化された冷媒はキャピラリーチューブ７２で減圧された後、気化する際に冷却器２１で熱を奪って圧縮機２０に戻る。これにより、冷却器２１で空気が冷却され、送風機２２により冷気が送出される。尚、７３は凝縮器７１を冷却する凝縮器用送風機である。
【００３２】
図６は凝縮器７１の付近を更に詳細に示した回路図である。凝縮器７１は、機械室７９内に配される放熱器８１、放熱器８２、冷蔵庫１の背面に配されるバックコンデンサ８３及び外箱２ａの内面に配されるインナーコンデンサ８４から成っている。
【００３３】
詳細を後述するように、放熱器８１、８２は機械室７９内で強制対流により冷却され、バックコンデンサ８３は冷蔵庫１の背面で自然放熱により冷却される。また、インナーコンデンサ８４は冷蔵庫１の側面で自然放熱により冷却される。
【００３４】
図３において、冷却器２１の下方には除霜を行う除霜手段として、ガラス管式の除霜ヒータ６２が設けられている。除霜ヒータ６２の下方には除霜によるドレン水を受けるドレン受け部材６４が設けられる。ドレン受け部材６４の流出孔６４ａにはドレンホース６５（図９参照）が接続されている。ドレンホース６５を介して冷凍室１３の下方に配される蒸発皿７８（図４参照）にドレン水が導かれるようになっている。
【００３５】
また、冷却器２１は冷気通路２３内に配されており、冷気通路２３は、背面が内箱２ｂにより形成され、前面が樹脂成形品から成るエバカバー３３により形成されている。エバカバー３３には、冷凍室１３の背面を形成する背面板３３ａにより前面側が覆われた冷気が通る空間３３ｅが設けられている。送風機２２は冷気通路２３内の冷却器２１の上方に配されている。冷気通路２３は背面板３３ａに設けられた吐出口１３ａ〜１３ｄ及び戻り口３３ｂによって冷凍室１３と連通している。
【００３６】
尚、エバカバー３３と背面板３３ａとの間の空間３３ｅは、エバカバー３３から突出した突出壁３３ｄで仕切られている。これにより、吐出口１３ａ〜１３ｄ側と戻り口３３ｂ側とが分離され、戻り口３３ｂに連通した開口部３３ｃを介して冷凍室１３内の冷気が冷気通路２３に戻るようになっている。また、仕切壁１９（図１参照）には貫通孔１９ａが設けられ、野菜室１２内を循環した冷気が貫通孔１９ａを介して冷気通路２３に戻るようになっている。
【００３７】
仕切壁１６の上方には、冷気通路２３と連通する送風機室２４が設けられる。送風機室２４はダンパ２５により冷気通路２３との連通口を開閉され、送風機室２４内には送風機２６が設けられている。送風機室２４と連通する上方には冷気通路２９が設けられている。ダンパ２５を開いて送風機２６を駆動すると、冷気通路２９に冷気が流通し、冷蔵室１１及び野菜室１２に冷気が送出されるようになっている。
【００３８】
冷気通路２９の背面は内箱２ｂにより形成され、前面は冷却板４２により形成されている。冷却板４２はアルミニウムやステンレス等の金属板を板金加工して形成され、背面側に断熱材４２ｂが貼着されている。前述の図１、図２に示すように、冷気通路２９は中央に配される上昇通路２９ａと、両側部に配される下降通路２９ｂとを有している。下降通路２９ｂの周部には複数の吐出口４２ａが設けられ、冷気が冷蔵室１１内に吐出されるようになっている。
【００３９】
また、冷気通路２９を通る冷気による冷熱が冷却板４２を介して冷蔵室１１内に放出され、冷蔵室１１内が均一に冷却される。冷却板４２と断熱材４２ｂとの間に隙間を設けて該隙間に微量の冷気を流すことや、断熱材４２ｂの厚みを調整すること等により冷蔵室１１への冷熱の放出を部分的に調整してもよい。
【００４０】
冷蔵室１１の天井部分には冷気通路２９と連通口２９ｃにより連通する天井冷気通路５７が設けられている。天井冷気通路５７は樹脂成形品から成る上面板４３と内箱２ｂとにより形成されている。上面板４３には吐出口４３ａが設けられ、上面側に断熱材４３ｂ（図３参照）が貼着されている。冷蔵室１１の天井中央部には透明な照明カバー５２で覆われた照明灯（不図示）が設けられ、冷蔵室１１内を照明するようになっている。
【００４１】
また、冷気通路２９から分岐して、氷温室１４及び野菜室１２に連結される分岐通路６０、６１が形成されている。分岐通路６０は吐出口６０ａから冷気を氷温室１４に吐出する。分岐通路６１を通る冷気は冷蔵室１１内と循環した冷気と合流して野菜室１２に送出される。
【００４２】
冷蔵室１１の下部には、開口部４９ａを介して野菜室１２と連通する連通路４９が設けられる。冷蔵庫１の左側面断面を図７に示すと、連通路４９は樹脂成形品から成るカバー５０を内箱２ｂに取付けて形成され、仕切壁１６に設けられた貫通孔１６ａを介して冷蔵室１１内を循環した冷気が野菜室１２内に送られるようになっている。
【００４３】
野菜室１２は回動式の断熱扉７により前面が開閉可能になっており、断熱扉７に設けられた把持部（不図示）を把持して断熱扉７を開き、収納容器５４ａ、５４ｂ、５４ｃ、５４ｄを引出せるようになっている。収納容器５４ａ、５４ｂ、５４ｃ、５４ｄはそれぞれ深さが異なり、貯蔵物の大きさに応じて収納することにより貯蔵物の積み重ねが回避される。
【００４４】
収納容器５４ａの下方には隙間を有して案内板５３が設けられている。連通路４９を介して後方から野菜室１２に流入した冷気は案内板５３により案内されて野菜室１２の前面側を通る。そして、収納容器５４ｄの下方を通って仕切壁１９（図１参照）の後方下部に設けられた貫通孔１９ａから冷気通路２３（図３参照）に戻る。これにより、野菜室１２内を冷気が循環して効率良く冷却するようになっている。
【００４５】
また、野菜室１２の背後には回路収納部５９が設けられ、送風機２２、除霜ヒータ６２（いずれも図３参照）、圧縮機２０等を駆動制御するための制御回路５８が収納されている。回路収納部５９の背面は電装カバー５９ａで塞がれ、回路収納部５９の周囲は断熱材２ｃで覆われている。断熱材２ｃにより、制御回路５８による発熱を遮断するようになっている。
【００４６】
図８は野菜室１２の下部を示す側面断面図である。機械室７９は前面側を開口した吸気口７９ａが設けられている。また機械室７９の後部には、送風機７７が圧縮機２０に隣接して配置されている。送風機７７の駆動によって機械室７９内に強制対流を発生し、吸気口７９ａから室内の空気が吸引されて排気口７９ｂ（図４参照）から排気されるようになっている。
【００４７】
図９は機械室７９内を示す平面図である。図中、上方が冷蔵庫１の前面側を示している。機械室７９の前部は仕切板７６により左右に仕切られ、機械室７９内に吸気経路８８ａと排気経路８８ｂとが形成されている。吸気経路８８ａと排気経路８８ｂとは送風機７７及び圧縮機２０が配される機械室７９の後部７９ｃにより連通して通気経路８８が形成されている。
【００４８】
また、仕切板７６は野菜室１２と冷凍室１３との仕切壁１９（図１参照）の延長上に設けられている。これにより、野菜室１２は吸気経路８８ａを流通する空気から熱侵入を受ける。また、冷凍室１３は排気経路８８ｂを流通する空気から熱侵入を受ける。このため、温度差を有する吸気及び排気から熱侵入を受けることによって室内温度が不均一になることを防止することができる。
【００４９】
野菜室（第２貯蔵室）１２の下方の吸気経路８８ａ内には放熱器（第２放熱部）８１が配されている。冷凍室（第１貯蔵室）１３の下方の排気経路８８ｂ内には放熱器（第１放熱部）８２が配されている。前述したように、放熱器８２は圧縮機２０に接続されており、放熱器８１は圧縮機２０から見て放熱器８２よりも冷媒の流れの下流側に直列に接続されている。蒸発皿７８は放熱器８２上に載置されている。
【００５０】
放熱器８１、８２は冷媒が流通する銅管８１ａ、８２ａに銅、アルミニウム、ステンレス等の金属板８１ｂ、８２ｂが固着されている。金属板８１ｂには、図１０に示すように切り起こしによって多数の放熱フィン８１ｃが形成されている。これにより、空気との接触面積を増加させることができる。また、切り起こしによる開口部８１ｄによって金属板８１ｂの上下の対流が促進される。従って、容易に放熱器８１の熱交換効率の向上が図られるようになっている。
【００５１】
また、放熱器８１の放熱フィン８１ｃは、幅Ｗの方向と空気流の方向とが平行になるように形成されている。これにより、冷凍室１３よりも幅の狭い野菜室１２の下方に配される吸気経路８８ａの通気抵抗を低減するようになっている。
【００５２】
上記構成の冷蔵庫１において、圧縮機２０が駆動されると、冷凍サイクルが運転され、冷却器２１による冷却が行われる。機械室７９内では送風機７７が駆動され、吸気口７９ａから空気が取り込まれる。該空気は、通気経路８８を流通して圧縮機２０及び放熱器８１、８２との交換によりこれらを冷却した後、蒸発皿７８上を通過して排気口７９ｂから排気される。これにより、冷蔵庫１の左右側面が囲われた状態でも廃熱経路を確保できるようになっている。
【００５３】
冷気通路２３内の送風機２２が駆動されると、冷凍室１３内の空気は戻り口３３ｂから開口部３３ｃを通り冷気通路２３に吸引される。該空気は冷却器２１と熱交換して冷却され、吐出口１３ａ、１３ｂ、１３ｃ、１３ｄから冷凍室１３内に吐出される。これにより、冷凍室１３内が例えば−２０℃に冷却される。
【００５４】
ダンパ２５を開いて送風機２６が駆動されると、冷気通路２３内の冷気の一部が冷気通路２９及び天井冷気通路５７に送られる。そして、吐出口４２ａ、４３ａから冷気が冷蔵室１１内に吐出される。また、冷却板４２は金属から成るので、冷気通路２９内を流通する冷気の冷熱の一部は冷却板４２を介して冷蔵室１１内に冷熱として放出される。
【００５５】
従って、冷却板４２から放出される冷熱と吐出口４２ａ、４３ａから吐出される冷気とによって冷蔵室１１内が例えば３℃に効率良く均一に冷却される。冷却板４２は熱伝導性の高い材料であればよく、セラミック材料や金属フィラーを含浸した樹脂材料等を使用してもよい。
【００５６】
冷蔵室１１に吐出された冷気は載置棚４５の前面を通り連通路４９を介して野菜室１２内の後方に吐出される。そして、収納容器５４ａの下方を通って収納容器５４ｂ、５４ｃ、５４ｄの前面側を流通し、収納容器５４ｄの下方を通って野菜室１２内を冷却する。その後、冷気が貫通孔１９ａから冷気通路２３に導かれて冷気が循環する。
【００５７】
吐出口４２ａ、４３ａから冷蔵室１１に吐出された冷気は、野菜室１２に流入するまでの間に食品等に冷熱を奪われる。これにより、冷蔵室１１内を循環する冷気の温度は上昇し、昇温された冷気が野菜室１２に流入する。この時、冷気通路２３を通る低温の冷気の一部が直ちに分岐通路６１を通って野菜室１２に流入して冷蔵室１１を通った冷気と合流する。従って、野菜室１２内の温度を所定の温度（例えば５℃）に維持するように分岐通路６１の流量が設定されている。
【００５８】
同様に、冷気通路２３を通った低温の冷気の一部が直ちに分岐通路６０を通って吐出口６０ａから氷温室１４に適量吐出される。これにより、氷温室１４内の温度を例えば−１℃に維持できるようになっている。
【００５９】
本実施形態によると、冷凍室１３の下方に排気経路８８ｂが配され、野菜室１２の下方に吸気経路８８ａが配されるため、排気口７９ｂの開口面積が吸気口７９ａの開口面積よりも大きくなる。このため、放熱器８１、８２及び圧縮機２０と熱交換して使用者の足下に吹き出される温風の風力が弱くすることができる。従って、使用者の不快感を従来よりも軽減することができる。
【００６０】
また、圧縮機２０の直後に接続される放熱器（第１放熱部）８２が排気経路８８ｂを流通する空気との熱交換により冷却される。排気経路８８ｂを流通する空気は圧縮機２０と熱交換して昇温されているが、圧縮機２０から流出した冷媒が直ちに流れる放熱器８２が高温であるため放熱器８２を充分冷却することができる。
【００６１】
圧縮機２０から見て放熱器８２よりも冷凍サイクルの下流側に配される放熱器（第２放熱部）８１は吸気経路８８ａを流通する空気との熱交換により冷却される。吸気経路８８ａを流通する空気は圧縮機２０と熱交換する前の空気であるため温度が低い。このため、放熱器８２よりも降温された冷媒が通る放熱器８１であっても充分な温度差を有し、放熱器８１を効率良く冷却することができる。
【００６２】
また、排気経路８８ｂの天井面を形成する冷凍室（第１貯蔵室）１３の底壁は、冷凍室１３からの熱伝導によって低温となるが、圧縮機２０と熱交換された高温の空気との接触により表面が昇温される。このため、該底壁の結露を防止し、結露水の漏水を防止できるようになっている。一方、吸気経路８８ａの上方には野菜室（第２貯蔵室）１２が配されているので、野菜室１２の底壁の温度が比較的高く、低温の吸気が流通しても結露が発生することはない。
【００６３】
また、排気経路８８ｂに蒸発皿７８を配置しているので圧縮機２０と熱交換して昇温された空気がドレン水と接触し、ドレン水の蒸発が促進される。
【００６４】
【発明の効果】
本発明によると、第１貯蔵室または第２貯蔵室の下方に配置される放熱器と、横幅の狭い第２貯蔵室の下方前方から取り入れた空気が第２貯蔵室の下方を流通した後、横幅の広い第１貯蔵室の下方を流通して第１貯蔵室の下方前方から排気される通気経路とを備えているので、熱交換後の高温の排気は風力が弱くなって使用者の足下に吹き出される。従って、使用者の不快感を従来よりも軽減することができる。また、第２貯蔵室は熱交換前の空気から熱侵入を受け、第１貯蔵室は熱交換後の空気から熱侵入を受ける。このため、第１、第２貯蔵室は排気または吸気のみからそれぞれ熱侵入を受けるので、第１、第２貯蔵室の室内温度が不均一になることを防止することができる。
【００６５】
また本発明によると、第１、第２放熱部をそれぞれ第１、第２貯蔵室の下方に配置するとともに、圧縮機から流出する冷媒が第１放熱部、第２放熱部の順に流通する。このため、圧縮機の直後に接続される第１放熱部が圧縮機と熱交換した後の昇温された空気により冷却されるが、第１放熱部が高温であるため充分冷却することができる。また、冷凍サイクルの下流側の第２放熱部は圧縮機と熱交換する前の低温の空気により冷却されるので、第１放熱部よりも降温されていても冷却用の空気と充分な温度差を有し、効率良く冷却することができる。
【００６６】
また本発明によると、第１貯蔵室の室内温度よりも第２貯蔵室の室内温度を高くしているので、第１貯蔵室の底壁は熱伝導によって低温となるが、圧縮機と熱交換された高温の空気との接触により表面が昇温されるため、該底壁の結露を防止し、結露水の漏水を防止できる。一方、第２貯蔵室の底壁は温度が比較的高くなるので発露が抑制される。
【００６７】
また本発明によると、第１貯蔵室を冷凍室にするとともに第２貯蔵室を野菜室にすることにより、第１放熱部の上方の第１貯蔵室の室内温度よりも第２放熱部の上方の第２貯蔵室の室内温度を容易に高くすることができる。
【００６８】
また本発明によると、放熱器は複数の放熱フィンを突設した金属板を有し、前記金属板の一部を切り起こして放熱フィンを形成しているので、簡単な構成により金属板の裏表での対流が促進される。従って、容易に放熱器の熱交換効率の向上を図ることができる。
【００６９】
また本発明によると、通気経路を流通する空気の流通方向に対して放熱フィンの幅方向を平行にしているので、通気経路の通気抵抗を低減することができる。
【００７０】
また本発明によると、ドレン水を貯溜して蒸発させる蒸発皿を第１貯蔵室の下方に配置しているので、圧縮機と熱交換して昇温された空気がドレン水と接触し、ドレン水の蒸発を促進することができる。
【図面の簡単な説明】
【図１】    本発明の実施形態の冷蔵庫を示す正面図である。
【図２】    本発明の実施形態の冷蔵庫を示す上面断面図である。
【図３】    本発明の実施形態の冷蔵庫を示す右側面断面図である。
【図４】    本発明の実施形態の冷蔵庫の下部を示す右側面断面図である。
【図５】    本発明の実施形態の冷蔵庫の冷凍サイクルを示す回路図である。
【図６】    本発明の実施形態の冷蔵庫の冷凍サイクルの凝縮器近傍を示す回路図である。
【図７】    本発明の実施形態の冷蔵庫を示す左側面断面図である。
【図８】    本発明の実施形態の冷蔵庫の下部を示す左側面断面図である。
【図９】    本発明の実施形態の冷蔵庫の機械室を示す平面図である。
【図１０】  本発明の実施形態の冷蔵庫の放熱器の要部を示す斜視図である。
【図１１】  従来の冷蔵庫を示す外観斜視図である。
【図１２】  従来の冷蔵庫の機械室を示す平面図である。
【符号の説明】
１    冷蔵庫
２ａ  外箱
２ｂ  内箱
２ｃ  断熱材
２ｄ  キャビネット部
２ｅ  バックプレート
３、４、５、６、７  断熱扉
１１    冷蔵室
１２    野菜室（第２貯蔵室）
１３    冷凍室（第１貯蔵室）
１４    氷温室
１６、１９  仕切壁
２０、１１０  圧縮機
２０ａ  断熱壁
２１    冷却器
２２、２６  送風機
２３、２９  冷気通路
２５    ダンパ
３３    エバカバー
４２    冷却板
４９    連通路
５４ａ〜５４ｄ、５５、５６ａ〜５６ｃ  収納容器
５７    天井冷気通路
５８    制御回路
６２    除霜ヒータ
６３    タンク
６４    ドレン受け部材
６５    ドレンホース
６７    製氷部
７１    凝縮器
７２    キャピラリチューブ
７６    仕切壁
７７、１０９  送風機
７８、１１３  蒸発皿
７９、１０７  機械室
７９ａ、１０７ａ  吸気口
７９ｂ、１０７ｂ  排気口
８１、１１２  放熱器（第２放熱部）
８２、１１１  放熱器（第１放熱部）
８１ｃ、８２ｃ  放熱フィン
８３    バックコンデンサ
８４    インナーコンデンサ
８５    ドライヤ
８８    通気経路
８８ａ  吸気経路
８８ｂ  排気経路
【図１】
0003957485.tif 000002
【図２】
0003957485.tif 000003
【図３】
0003957485.tif 000004
【図４】
0003957485.tif 000005
【図５】
0003957485.tif 000006
【図６】
0003957485.tif 000007
【図７】
0003957485.tif 000008
【図８】
0003957485.tif 000009
【図９】
0003957485.tif 000010
【図１０】
0003957485.tif 000011
【図１１】
0003957485.tif 000012
【図１２】
0003957485.tif 000013